(57)【要約】【課題】物品を引き剥がす手間を不要とする物品陳列袋の提供。【解決手段】物品陳列袋１０は封入袋１１とヘッダー１２とを備える。封入袋１１は上側で封入袋１１を封止する封止部分１１Ａと切断されることで開口されて物品１０Ａの出し入れを可能とする被切断部分１１Ｂとを備える。ヘッダー１２は前後両側から封入袋１１を挟み込む挟み込み部１２Ａと、挟み込み部１２Ａの前側から下側に延長されて封入袋１１に前側から被せられる第１延長部１２Ｂと、挟み込み部１２Ａの後側から下側に延長されて封入袋１１に後側から被せられる第２延長部１２Ｃとを備える。被切断部分１１Ｂは封入袋１１の後側において封止部分１１Ａよりも下側に配設され、第２延長部１２Ｃにより後側から覆われ、第１延長部１２Ｂにより前側から隠される。【選択図】図４
2015037952.tif 000002
【特許請求の範囲】
【請求項１】
物品が収納されることで当該物品を陳列壁に陳列することを実現させる物品陳列袋において、
前記物品を封入された状態に収納することができる封入袋と、
前記封入袋に一体に取り付けられて、当該封入袋を前記陳列壁から吊り下げ、当該陳列壁側の部材に前記封入袋をもたれかからせた状態に支持させることを可能とするヘッダーと、
を備え、
前記封入袋は、当該封入袋において前記物品の陳列時に上側とされる部分に設けられて前記封入袋を封止する封止部分と、切断されることで開口されて前記封入袋に封入された前記物品の出し入れを可能とする被切断部分とを備え、
前記ヘッダーは、前記陳列時において前記陳列壁側となる後側および前記陳列時において前記陳列壁とは反対側となる前側の両側から前記封入袋を挟み込む挟み込み部と、当該挟み込み部の前記前側となる部分から前記陳列時において下側となる向きに、前記封止部分よりも前記下側に達するまで延長されて前記封入袋に前記前側から被せられる第１延長部と、前記挟み込み部の前記後側となる部分から前記下側となる向きに、前記封止部分よりも前記下側に達するまで延長されて前記封入袋に前記後側から被せられる第２延長部とを備え、
前記被切断部分は、前記封入袋の前記後側において前記封止部分よりも前記下側となる部分に配設されることで、前記ヘッダーの前記第２延長部によって前記後側から覆われ、前記ヘッダーの前記第１延長部によって前記前側から隠されることができるようになっている、
物品陳列袋。
【請求項２】
請求項１に記載の物品陳列袋であって、
前記挟み込み部の前記後側となる部分は、少なくとも前記封入袋の前記後側となる部分に一体に接合され、
前記被切断部分は、前記陳列時における左右方向に延びるように配設され、かつ、前記封入袋における他の部分と比べて前記上側と前記下側とから引っ張る力に対する引き裂き強度が弱くなるように形成されている、
物品陳列袋。
【請求項３】
請求項２に記載の物品陳列袋であって、
前記封入袋には、少なくとも当該封入袋の内面を形成する部分に、前記封入袋の滑性を向上させる滑剤が適用されている、
物品陳列袋。
【発明の詳細な説明】
【技術分野】
【０００１】
本発明は、物品が収納されることでこの物品を陳列壁に陳列することを実現させる物品陳列袋に関する。
【背景技術】
【０００２】
従来、小ねじあるいはトランジスタなどの小物品は、一般に所定のロット数量がまとめて物品陳列袋に封入された状態で陳列されて小売がなされる。この物品陳列袋は、一般に、小物品が封入される封入袋に、封入された小物品の商品等表示が表示されたヘッダーを一体に取り付けた構成とされる。
なお、上記ヘッダーは、上記封入袋を陳列壁に設けられたフックから吊り下げ、上記封入袋を陳列壁側の部材にもたれかからせた状態に支持させることを可能とする部材でもある。この陳列壁側の部材の具体例としては、例えば陳列壁およびこの陳列壁から吊り下げられた売り切れ表示板ならびに上記陳列壁において同一のフックから吊り下げられた別の物品陳列袋などが挙げられる。
【０００３】
ここで、上記した小売の現場においては、上記小物品の購入者は、陳列された封入袋を手にとって封入された小物品を取り出し、この小物品が所望の小物品であるか否かを確認することがある。また、上記確認において小物品が所望の小物品でないと分かった場合は、上記購入者は、取り出した小物品を封入袋に戻して、この封入袋を陳列壁から吊り下げられた状態に戻す。
上記のような物品の取り扱いは、例えば下記の特許文献１に記載されたような物品陳列袋によって実現される。この物品陳列袋においては、両側縁および下縁が連結された表側フィルムと裏側フィルムとによって、上側に開口を有する封入袋が形成される。この封入袋は、裏側フィルムが表側フィルムの上縁よりも上方に延出され、この延出された部分および上記開口を覆うように再剥離シールを貼り付けてヘッダーとすることで封止がなされる。このため、上記物品陳列袋においては、以前に開封された封入袋を再剥離シールにより再度封止することができる。
【先行技術文献】
【特許文献】
【０００４】
【特許文献１】特開２００６−１８８２５４号公報
【発明の概要】
【発明が解決しようとする課題】
【０００５】
ところで、物品陳列袋に封入された状態で陳列されて小売がなされる小物品は、一般に、その質量が小さいため、一度再剥離シールの接着面に接触されると、この接着面に自重によっては剥がれ落ちることがないように接着される。このため、上記従来の物品陳列袋においては、封入袋から取り出されて戻される小物品が再剥離シールの接着面に接触してこの接着面に接着された場合に、接着された小物品を上記接着面から引き剥がすための手間がかかるという問題点があった。
本発明は、封入された小物品を取り出して戻すことが想定される封入袋を備えた物品陳列袋において、以前に開封された封入袋を封止された状態にすることなく陳列可能な状態にできるようにすることで、この封入袋を再度封止するための再剥離シールを省略して、この再剥離シールに接着された小物品を引き剥がす手間を不要とすることを可能とするものである。
【課題を解決するための手段】
【０００６】
上記課題を解決するために、本発明の物品陳列袋は以下の手段をとる。
まず、第１の発明は、物品が収納されることでこの物品を陳列壁に陳列することを実現させる物品陳列袋である。この物品陳列袋は、物品を封入された状態に収納することができる封入袋と、この封入袋に一体に取り付けられて、この封入袋を陳列壁から吊り下げ、この陳列壁側の部材に封入袋をもたれかからせた状態に支持させることを可能とするヘッダーとを備えている。封入袋は、この封入袋において物品の陳列時に上側とされる部分に設けられて封入袋を封止する封止部分と、切断されることで開口されて封入袋に封入された物品の出し入れを可能とする被切断部分とを備えている。ヘッダーは、上記陳列時において陳列壁側となる後側および上記陳列時において陳列壁とは反対側となる前側の両側から封入袋を挟み込む挟み込み部と、この挟み込み部の上記前側となる部分から上記陳列時において下側となる向きに、封止部分よりも上記下側に達するまで延長されて封入袋に上記前側から被せられる第１延長部と、挟み込み部の上記後側となる部分から上記下側となる向きに、封止部分よりも上記下側に達するまで延長されて封入袋に上記後側から被せられる第２延長部とを備えている。被切断部分は、封入袋の上記後側において封止部分よりも上記下側となる部分に配設されることで、ヘッダーの第２延長部によって上記後側から覆われ、ヘッダーの第１延長部によって上記前側から隠されることができるようになっている。
この第１の発明によれば、封入袋の被切断部分を覆うヘッダーの第２延長部をめくり上げ、封入袋の被切断部分を切断して開口させることで、封入袋に封入された状態に収納された物品の出し入れが可能となる。また、被切断部分が開口された状態の物品陳列袋は、被切断部分に後側からヘッダーの第２延長部を被せ、封入袋を陳列壁側の部材に後側からもたれかからせることで、被切断部分の開口が第２延長部によって後側から押さえられて閉じられた状態となる。また、上記被切断部分の開口が閉じられた状態においては、この開口および第２延長部は、封入袋に前側から被せられたヘッダーの第１延長部によって上記前側から隠されて視認されにくくなる。このため、上記物品陳列袋においては、以前に開封された封入袋を封止された状態にすることなく陳列可能な状態にできるようにして、封入袋を再度封止するための再剥離シールを省略することが実現される。これにより、一度再剥離シールの接着面に接触されると、この接着面に自重によっては剥がれ落ちることがないように接着される小物品を上記物品として物品陳列袋に収納した場合に、再剥離シールに接着された上記小物品を引き剥がす手間を不要とすることが可能となる。
【０００７】
ついで、第２の発明は、上述した第１の発明において、上記挟み込み部の上記後側となる部分は、少なくとも封入袋の上記後側となる部分に一体に接合され、上記被切断部分は、上記陳列時における左右方向に延びるように配設され、かつ、封入袋における他の部分と比べて上記上側と上記下側とから引っ張る力に対する引き裂き強度が弱くなるように形成されているものである。
この第２の発明によれば、物品陳列袋を開封しようとする開封者は、ヘッダーを押さえて、封入袋において陳列時に後側かつ被切断部分よりも下側となる部分を引っ張ることで、被切断部分を引き裂いて、陳列時において左右方向に延びた状態となる開口を形成することができる。これにより、上記開封者が物品陳列袋を容易に開封することと、一度開封された封入袋を再度陳列するときに被切断部分の開口から物品がこぼれ落ちにくくすることとを両方とも実現することができる。
【０００８】
さらに、第３の発明は、上述した第２の発明において、上記封入袋には、少なくともこの封入袋の内面を形成する部分に、封入袋の滑性を向上させる滑剤が適用されているものである。
この第３の発明によれば、封入袋の被切断部分を引き裂いて開口させる際において、封入袋の内面同士の摩擦によって発生される抵抗力が低減される。これにより、比較的弱い力で封入袋の被切断部分を引き裂いて開封することが可能とされた物品陳列袋を提供することができる。
【図面の簡単な説明】
【０００９】
【図１】本発明の一実施形態にかかる物品陳列袋を陳列壁に陳列した状態を表した正面図である。
【図２】図１のＩＩ−ＩＩ線断面図である。
【図３】図２の部分拡大図である。
【図４】図１の物品陳列袋を単体で表した右側面図である。
【図５】図１の物品陳列袋を単体で表した背面図である。
【図６】図１の物品陳列袋を単体で表した斜視図であり、ヘッダーの第２延長部を上側にめくり上げた状態を表す。
【図７】図１の物品陳列袋を開封する直前の状態を表した斜視図である。
【図８】図１の物品陳列袋を開封した直後の状態を表した斜視図である。
【図９】図８の物品陳列袋を陳列壁から吊り下げて支持させた状態を表した左側面図である。
【図１０】図６の物品陳列袋の変形例を表した斜視図であり、ヘッダーの第２延長部を上側にめくり上げた状態を表す。
【発明を実施するための形態】
【００１０】
以下に、本発明の一実施形態にかかる物品陳列袋１０について、主に図１ないし図９を用いて説明する。なお、以下において、陳列壁９０のフック９０Ａと封入袋１１とが互いに干渉しないように封入袋１１に形成される逃げ孔（図２参照）などの付随的な構成については、その詳細な説明を省略する。
物品陳列袋１０は、図１および図２に示すように、物品１０Ａ（例えば小ねじ）が収納されることで、この物品１０Ａを陳列壁９０に陳列することを実現させる物品陳列袋である。この物品陳列袋１０は、図１に示すように、物品１０Ａが所定のロット数量（例えば６本）だけ封入された状態に収納された封入袋１１に、封入された物品１０Ａの商品等表示１２Ｄが表示されたヘッダー１２を一体に取り付けた構成とされている。
【００１１】
ここで、本明細書においては、物品陳列袋１０の各構成の上下左右を、この物品陳列袋１０により物品１０Ａを陳列壁９０に陳列するとき（以下、「陳列時」とも称する。）における上記各構成の上下左右によって説明する。
また、本明細書においては、物品陳列袋１０の各構成において、上記陳列時において陳列壁９０側となる側（例えば図２では左側）を上記各構成の後側、上記陳列時において陳列壁９０とは反対側となる側（例えば図２では右側）を上記各構成の前側として説明を行う。
【００１２】
ヘッダー１２は、図２および図３に示すように、片面のみがポリプロピレン層１２Ｆによってコーティングされた紙１２Ｇを、ポリプロピレン層１２Ｆ側の面が内側となるように２つ折りにすることで形成されている。また、ヘッダー１２には、図２に示すように、上記２つ折りによって紙１２Ｇおよびポリプロピレン層１２Ｆが重ねられる部分に、この紙１２Ｇおよびポリプロピレン層１２Ｆを貫通するように引っ掛け孔１２Ｅが形成されている。
引っ掛け孔１２Ｅは、図１および図２に示すように、陳列壁９０に設けられたフック９０Ａに引っ掛けることができるように形成されている。これにより、ヘッダー１２は、このヘッダー１２に一体に取り付けられた封入袋１１をフック９０Ａから吊り下げ、封入袋１１をフック９０Ａにより陳列壁９０から吊り下げられた売り切れ表示板９０Ｂにもたれかからせた状態に支持させることができる。ここで、売り切れ表示板９０Ｂは、本発明における「陳列壁側の部材」に相当する。
【００１３】
なお、売り切れ表示板９０Ｂは、この売り切れ表示板９０Ｂに貫通して形成された貫通孔９０Ｃがフック９０Ａに着脱可能に引っ掛けられることで、陳列壁９０から吊り下げられた状態とされている。このため、売り切れ表示板９０Ｂがフック９０Ａから取り外されているとき（図示省略）には、物品陳列袋１０のヘッダー１２は、陳列壁９０そのものを本発明における「陳列壁側の部材」として、封入袋１１を陳列壁９０にもたれかからせた状態に支持させる。
また、フック９０Ａは、物品陳列袋１０を含む複数の物品陳列袋を物品陳列袋１０の前後方向（図２では左右方向となる方向）に並べた状態で陳列壁９０から吊り下げられた状態とすることができる。ここで、フック９０Ａにおいて陳列壁９０と物品陳列袋１０との間となる位置から、この物品陳列袋１０とは別の物品陳列袋が吊り下げられているとき（図示省略）には、物品陳列袋１０のヘッダー１２は、上記別の物品陳列袋を本発明における「陳列壁側の部材」として、封入袋１１を上記別の物品陳列袋にもたれかからせた状態に支持させる。
【００１４】
封入袋１１は、無色透明であり、かつ、滑剤が添加物として適用されることで滑性が向上された２軸延伸ポリプロピレンのフィルムによって形成されている。このため、封入袋１１は、図１に示すように、封入袋１１に封入された物品１０Ａを明りょうに視認することが可能な透明な袋として形成される。
具体的には、封入袋１１は、図１、および、図４ないし図６に示すように、上記２軸延伸ポリプロピレンのフィルムを２つ折りにして底部を形成し、２つ折りにされた上記フィルムを溶断加工して両側部を形成したサイドシール袋として形成されている。ここで、上記「溶断加工」は、それぞれ熱可塑性を有する素材によって形成されて互いに重ねられたフィルムを加熱された刃物によって切断することで、切断された各フィルムの縁部を切断と同時に互いに熱融着させて接合させる加工のことをいう。なお、封入袋１１は、図１０に示すように、左右両側の側面を前後方向に広げられるように形成したガゼット袋として形成してもよい。
【００１５】
また、封入袋１１は、図２ないし図４に示すように、その上側（図示上側）の部分が、ヘッダー１２において前後方向（図示左右方向）に対称に設けられた挟み込み部１２Ａによって前後両側（図示左右両側）から挟み込まれるようになっている。また、封入袋１１は、図３に示すように、挟み込み部１２Ａに挟まれる部分の複数箇所（例えば左右方向に１列に並ぶ３箇所）において超音波溶着加工が施されて上述した２軸延伸ポリプロピレンのフィルムが熱融着されることで、封入袋１１を封止する封止部分１１Ａが形成されている。
ここで、上記超音波溶着加工は、図１および図５の超音波溶着加工跡１２Ｈによって示すように、ヘッダー１２の挟み込み部１２Ａが封入袋１１を前後両側から挟みこんだ状態において、この封入袋１１および挟み込み部１２Ａに一緒に加圧力および超音波振動を印加することによって実施される。このため、ヘッダー１２のポリプロピレン層１２Ｆは、図３に示すように、封入袋１１の封止部分１１Ａに前後両側（図示左右両側）から一体に熱融着されて接合されている。これにより、封入袋１１の封止と、この封入袋１１へのヘッダー１２の取り付けとを同時に行って、物品陳列袋１０を作成する際の作業量を減らすことが可能となる。
【００１６】
また、封入袋１１において後側となる部分には、図２ないし図６に示すように、封止部分１１Ａよりも下側（図示下側）において左右方向（図５で見て左右方向）に延びるように配設された破線状の切り込みからなる被切断部分１１Ｂと、封入袋１１の後側の外表面（図３で見て左側の外表面）において被切断部分１１Ｂよりも下側となる部分に施された印刷１１Ｃとが設けられている。
印刷１１Ｃは、図１および図５に示すように、２軸延伸ポリプロピレンのフィルムによって透明に形成された封入袋１１を、不透明な色に着色するようになっている。これにより、印刷１１Ｃは、封入袋１１に封入された物品１０Ａを前側から見たときに、この物品１０Ａが封入袋１１よりも後側の物品（例えば図１に示す売り切れ表示板９０Ｂ）に紛れて視認されにくくなることを抑えることができる。なお、本実施形態においては、印刷１１Ｃは、図６に示すように、被切断部分１１Ｂに下側から沿うように配置された白色の長方形と、この長方形の上側に配置された赤色のピクトグラム１１Ｄとを組み合わせたものとなっている。このピクトグラム１１Ｄは、ヒトが指で封入袋１１においてピクトグラム１１Ｄが配設された部分を押さえ、この部分をヘッダー１２から離れる向きにずらすジェスチャーを示唆するデザインとされている。
【００１７】
ところで、２軸延伸ポリプロピレンのフィルムは、このフィルムに所定の方向に延びる切り込みが形成されると、上記所定の方向に対して垂直な方向に引っ張る力により上記所定の方向に簡単に引き裂かれるという性質を有している。この性質により、被切断部分１１Ｂは、封入袋１１における他の部分と比べて上側と下側とから引っ張る力に対する引き裂き強度が弱くなっている。
このため、被切断部分１１Ｂは、図７および図８に示すように、上側と下側とから引っ張る力に対して容易に引き裂かれて切断される。そして、被切断部分１１Ｂは、上記切断により左右方向に延びるように開口されて、封入袋１１に封入された物品１０Ａの出し入れ（図示省略）を可能とする。
【００１８】
上述した各構成によれば、物品陳列袋１０を開封しようとする開封者９１は、図７および図８に示すように、物品陳列袋１０の後側を手前に向けた状態でヘッダー１２および封入袋１１において後側に露見されたピクトグラム１１Ｄを押さえ、このピクトグラム１１Ｄをヘッダー１２から離れる向きにずらすことで、封入袋１１を上下両側から引っ張って被切断部分１１Ｂを引き裂いて開口させることができる。これにより、開封者９１は、物品陳列袋１０を容易に開封して、封入袋１１に封入された状態に収納された物品１０Ａを出し入れすることができる。
ここで、封入袋１１は、滑剤が適用された２軸延伸ポリプロピレンのフィルムによって形成されている。このため、上記方法によって被切断部分１１Ｂを引き裂いて開口させる際には、上記滑剤によって封入袋１１の内面同士の摩擦によって発生される抵抗力が低減される。これにより、比較的弱い力で封入袋１１の被切断部分１１Ｂを引き裂いて物品陳列袋１０を開封することが可能となる。
【００１９】
さて、ヘッダー１２の挟み込み部１２Ａにおいて前側となる部分からは、図１ないし図４に示すように、この部分から下側（図示下側）となる向きに第１延長部１２Ｂが延長されている。この第１延長部１２Ｂは、封入袋１１に対して前側（図４で見て左側）から被せられるように配設されている。
また、第１延長部１２Ｂは、図２ないし図４に示すように、封入袋１１において封止部分１１Ａよりも下側（図示下側）に配設された被切断部分１１Ｂに対して、この被切断部分１１Ｂよりもさらに下側に達するまで延長されている。これにより、第１延長部１２Ｂは、被切断部分１１Ｂを前側（図３で見て右側）から隠すことができるようになっている。
【００２０】
また、ヘッダー１２の挟み込み部１２Ａにおいて後側となる部分からは、図２ないし図５に示すように、この部分から下側（図示下側）となる向きに第２延長部１２Ｃが延長されている。この第２延長部１２Ｃは、封入袋１１に対して後側（図４で見て右側）から被せられるように配設されている。
また、第２延長部１２Ｃは、封入袋１１において封止部分１１Ａよりも下側に配設された被切断部分１１Ｂに対して、この被切断部分１１Ｂよりもさらに下側に達するまで延長されている。これにより、第２延長部１２Ｃは、被切断部分１１Ｂを後側（図３で見て左側）から覆うことができるようになっている。
【００２１】
なお、第２延長部１２Ｃは、図４および図６に示すように、この第２延長部１２Ｃが挟み込み部１２Ａから延長される根元部分から折り曲げてめくり上げることができるようになっている。
このため、第２延長部１２Ｃは、図７および図８に示すように、物品陳列袋１０を開封する際にはめくり上げられた状態として、被切断部分１１Ｂを引き裂いて開口させる際の邪魔にならないようにすることができる。
【００２２】
上述した各構成によれば、図９に示すように、被切断部分１１Ｂが開口された状態の物品陳列袋１０は、被切断部分１１Ｂに後側（図示左側）からヘッダー１２の第２延長部１２Ｃを被せ、封入袋１１を陳列壁９０側の部材である売り切れ表示板９０Ｂに後側からもたれかからせることで、被切断部分１１Ｂの開口が第２延長部１２Ｃによって後側から押さえられて閉じられた状態となる。また、上記被切断部分１１Ｂの開口が閉じられた状態においては、この開口および第２延長部１２Ｃは、封入袋１１に前側（図示右側）から被せられたヘッダー１２の第１延長部１２Ｂによって前側から隠されて視認されにくくなる。
このため、物品陳列袋１０においては、以前に開封された封入袋１１を封止された状態にすることなく陳列可能な状態にできるようにして、封入袋１１を再度封止するための再剥離シールを省略することが実現される。これにより、一度再剥離シールの接着面に接触されると、この接着面に自重によっては剥がれ落ちることがないように接着される小物品（例えば小ねじ）を物品１０Ａとして物品陳列袋１０に収納した場合に、再剥離シールに接着された物品１０Ａを引き剥がす手間を不要とすることが可能となる。
【００２３】
また、上述した各構成によれば、図８に示すように、被切断部分１１Ｂの開口は上述した陳列時において左右方向に延びた状態となるように形成される。これにより、一度開封された封入袋１１を再度陳列するとき（図９参照）に、被切断部分１１Ａの開口から物品１０Ａをこぼれ落ちにくくすることができる。
【００２４】
本発明は、上述した一実施形態で説明した外観、構成に限定されず、本発明の要旨を変更しない範囲で種々の変更、追加、削除が可能である。例えば、以下のような各種の形態を実施することができる。
（１）上述した実施形態において、ヘッダーを封入袋において後側かつ被切断部分よりも上側となる任意の一部分のみに一体に接合させた変形例を採用し、この変形例によって上述した実施形態と同様の作用効果を得ることができる。
（２）封入袋は、２軸延伸ポリプロピレンのフィルムによって形成されたサイドシール袋あるいはガゼット袋に限定されない。すなわち、封入袋は、ボトムシール袋、三方シール袋、または、合掌袋など、任意の種類の袋として形成することができる。また、封入袋の原料は、例えばポリエチレン、ポリエチレンテレフタラート、または、紙など、任意の原料に適宜変更することができる。
（３）封入袋の被切断部分は、左右方向に延びるように配設された破線状の切り込みに限定されない。すなわち、被切断部分は、例えば封入袋を形成する素材の厚さを被切断部分において局所的に薄くした溝、あるいは、前もって封入袋を形成する素材に埋め込まれ、引き抜くことで封入袋を引き裂くことを可能とする引き裂き紐など、任意の構造とすることができ、被切断部分が延びる向きは特に限定されない。また、被切断部分を切断線が表示されただけの構成とし、物品陳列袋のどこかに「切断線に沿ってナイフで取り出し口を作成して下さい。」と記載することで、開封者が上記記載に従ってナイフで被切断部分を切断してこの被切断部分を開口させるようにすることもできる。
（４）ヘッダーは、紙を２つ折りにすることで形成されたものに限定されない。すなわち、ヘッダーの構成は、例えば封入袋の口を前後左右から囲む環として形成された挟み込み部から下側に向かって第１延長部および第２延長部を延長させた構成、あるいは、第１延長部が延長される前側の部分と第２延長部が延長される後側の部分とが別体に形成された構成など、任意の構成に適宜変更することができる。また、ヘッダーの素材は、プラスチックおよび金属を含む任意の素材に適宜変更することができる。
（５）封入袋の滑性を向上させる滑剤は、封入袋を形成する素材に添加物として適用されるものに限定されない。すなわち、上記滑剤は、例えば封入袋の内面を形成する部分に塗布されて適用される潤滑剤など、少なくとも封入袋の内面を形成する部分に適用されて滑性を向上させる任意の滑剤に置き換えることができる。
【符号の説明】
【００２５】
１０    物品陳列袋
１０Ａ  物品
１１    封入袋
１１Ａ  封止部分
１１Ｂ  被切断部分
１１Ｃ  印刷
１１Ｄ  ピクトグラム
１２    ヘッダー
１２Ａ  挟み込み部
１２Ｂ  第１延長部
１２Ｃ  第２延長部
１２Ｄ  商品等表示
１２Ｅ  引っ掛け孔
１２Ｆ  ポリプロピレン層
１２Ｇ  紙
１２Ｈ  超音波溶着加工跡
９０    陳列壁
９０Ａ  フック
９０Ｂ  売り切れ表示板（陳列壁側の部材）
９０Ｃ  貫通孔
９１    開封者
【図１】
2015037952.tif 000003
【図２】
2015037952.tif 000004
【図３】
2015037952.tif 000005
【図４】
2015037952.tif 000006
【図５】
2015037952.tif 000007
【図６】
2015037952.tif 000008
【図７】
2015037952.tif 000009
【図８】
2015037952.tif 000010
【図９】
2015037952.tif 000011
【図１０】
2015037952.tif 000012